(57)【要約】【課題】紙帯の厚さに応じたヒータの接着温度と加熱時間を設定することによって、種類の違う紙帯の使用が可能な結束装置を提供する。【解決手段】紙帯交換時に、操作制御部７からメーカやその紙帯の種類などの属性情報が設定されるとヒータ制御部６に送信される。交換された紙帯１が結束位置まで取出される際に、その厚さが厚さ検知センサ部４によって検知され、厚さ検知処理部６ｃで処理されて紙帯１の厚さ情報となり、ヒータオン・オフ制御部６ａに送信される。ヒータオン・オフ制御部６ａは、紙帯１の属性情報及び厚さ情報を演算し、接着温度パラメータ６ｄ１から選択した接着温度に基づいてヒータ３ｂを加熱し、かつ、サーミスタ３ｄによってその過熱温度を検知し、一定値を保持するようにヒータ３ｂの通電をオン・オフ制御する。また、１００枚紙葉類Ｈの結束時には過熱時間パラメータから選択した過熱時間に基づいて紙帯１を加熱して接着する。【選択図】図２
2008168920.tif 000002
【特許請求の範囲】
【請求項１】
ロール状に巻かれた結束材から所定の長さ取出し、積み重ねられた紙葉類を前記結束材
で結束する結束装置であって、
前記結束材の厚さを検知する厚さ検知手段と、
前記紙葉類を結束した結束材の端面に接触する接触面を加熱することにより結束材同士を
熱接着するための加熱手段と、
この加熱手段の内部温度を測定する温度検知手段と、
前記設定手段によって設定された種類ごとに設定した前記加熱手段の接着温度パラメータ
及び前記加熱手段の加熱時間パラメータを記憶する記憶手段と、
前記厚さ検知手段によって検知した前記結束材の厚さに基づいて、前記接着温度パラメー
タ及び前記加熱時間パラメータを前記記憶手段から選択して設定した設定値に基づいて前
記加熱手段の接着温度及び接着時間を設定する温度制御手段と、
を備えたことを特徴とする結束装置。
【請求項２】
ロール状に巻かれた結束材から所定の長さ取出し、積み重ねられた紙葉類を前記結束材
で結束する結束装置であって、
前記結束材の種類を設定する設定手段と、
前記結束材の厚さを検知する厚さ検知手段と、
前記紙葉類を結束した結束材の端面に接触する接触面を加熱することにより結束材同士を
熱接着するための加熱手段と、
この加熱手段の内部温度を測定する温度検知手段と、
前記設定手段によって設定された種類ごとに設定した前記加熱手段の接着温度パラメータ
及び前記加熱手段の加熱時間パラメータを記憶する記憶手段と、
前記厚さ検知手段によって検知した前記結束材の厚さ及び当該結束材の種類に基づいて、
前記接着温度パラメータ及び前記加熱時間パラメータを前記記憶手段から選択して設定し
た設定値に基づいて前記ヒータの接着温度及び接着時間を設定する温度制御手段と、
を備えたことを特徴とする結束装置。
【請求項３】
前記加熱手段は、
前記紙帯と接触して当該紙帯に熱を伝える熱伝達材からなるコテ部と、
このコテ部を給電することにより加熱するヒータと、を備え
前記温度検知手段は、
前記ヒータ内部の温度を感知する温度センサと、
この温度センサの出力値を基に温度を検知する温度検知処理手段を備え、
前記温度制御手段は、
前記温度検知手段によって検知した前記ヒータの内部温度が、前記結束材の厚さ及び種類
に基づいて設定された接着温度を保持するように前記ヒータへの給電をオン・オフ制御す
ることを特徴とする請求項１又は請求項２記載の結束装置。
【請求項４】
前記厚さ検知手段は、
前記紙帯を搬送するための搬送面と、
この搬送面に接触し、回転可能なローラ形状を有する厚さ検知センサと、
前記搬送面と厚さ検知センサの間に前記紙帯が挿入されたとき、この厚さ検知センサのロ
ーラ表面の変動から厚さを検知する厚さ検知処理手段と、
を備え、
前記結束材の厚さを連続的に検知することを特徴とする請求項１又は請求項２記載の結束
装置。
【発明の詳細な説明】
【技術分野】
【０００１】
本発明は、有価証券などの紙葉類を紙帯で施封する際の結束装置に関する。
【背景技術】
【０００２】
有価証券などの紙葉類を処理する紙葉類処理装置は、投入された紙葉類束から取出装置
によって紙葉類を１枚ずつ取出して搬送し、紙葉類判別装置によって紙葉類を判別し、そ
の判別結果に応じて紙葉類を区分して集積し、所定の枚数に達すると紙帯を用いて施封を
行っている。
【０００３】
この施封を行う際使用される紙帯は、裏面に熱接着可能な糊が塗布されており、所定枚
数（例えば１００枚）に達した１００枚紙葉類の所定の位置に紙帯を巻き付け、紙帯の端
面を所定温度に熱せられたヒータで加圧し熱接着する方法（ヒートシール）が知られてい
る（例えば、特許文献１参照）。
【特許文献１】特開２００１−２５３４０８号公報  （第３頁、図４）
【発明の開示】
【発明が解決しようとする課題】
【０００４】
しかしながら、特許文献１記載の結束装置では、類似した種類の違う紙帯を、同じ施封
機で使いたい場合に、帯の性質の違いから帯を交換するたびに設定しなおす必要があった
。あるいは、交換した帯が使用できない場合があった。
【０００５】
通常、結束装置には、指定された帯を使用することになっているが、そのヒートシール
のための設定値は、指定帯に合わせてあるので、帯メーカ、種類が固定化され、帯の競合
ができず、一度採用した帯を使い続けなければならないという課題があった。
【０００６】
紙帯の主な特性表示として接着温度がある。この接着性能は、温度だけでなく、加熱時
間、紙帯の厚さ、糊の性質に大きく影響される。特に、紙帯の厚さに関しては、厚くなれ
ば、その熱伝達能力が低下し、表示されている温度では接着できなくなり、接着温度を上
げたり、加熱時間を延ばしたりする必要がでてくる。この結果、カタログ上の接着温度が
同じでも、種類の違う帯が同一の結束装置で使えないことがある。
【０００７】
本発明は、上記課題を解決するためになされたもので、接着性能に大きく影響のある紙
帯の厚さに応じてヒータの接着温度と加熱時間を設定することによって、類似した種類の
違う紙帯の使用を可能にする結束装置を提供することを特徴とする。
【課題を解決するための手段】
【０００８】
上記目的を達成するために、本発明の請求項１記載の結束装置は、ロール状に巻かれた
結束材から所定の長さ取出し、積み重ねられた紙葉類を前記結束材で結束する結束装置で
あって、前記結束材の厚さを検知する厚さ検知手段と、前記紙葉類を結束した結束材の端
面に接触する接触面を加熱することにより結束材同士を熱接着するための加熱手段と、こ
の加熱手段の内部温度を測定する温度検知手段と、前記設定手段によって設定された種類
ごとに設定した前記加熱手段の接着温度パラメータ及び前記加熱手段の加熱時間パラメー
タを記憶する記憶手段と、前記厚さ検知手段によって検知した前記結束材の厚さに基づい
て、前記接着温度パラメータ及び前記加熱時間パラメータを前記記憶手段から選択して設
定した設定値に基づいて前記加熱手段の接着温度及び接着時間を設定する温度制御手段と
、を備えたことを特徴とする。
【０００９】
また、本発明の請求項２記載の結束装置は、ロール状に巻かれた結束材から所定の長さ
取出し、積み重ねられた紙葉類を前記結束材で結束する結束装置であって、前記結束材の
種類を設定する設定手段と、前記結束材の厚さを検知する厚さ検知手段と、前記紙葉類を
結束した結束材の端面に接触する接触面を加熱することにより結束材同士を熱接着するた
めの加熱手段と、この加熱手段の内部温度を測定する温度検知手段と、前記設定手段によ
って設定された種類ごとに設定した前記加熱手段の接着温度パラメータ及び前記加熱手段
の加熱時間パラメータを記憶する記憶手段と、前記厚さ検知手段によって検知した前記結
束材の厚さ及び当該結束材の種類に基づいて、前記接着温度パラメータ及び前記加熱時間
パラメータを前記記憶手段から選択して設定した設定値に基づいて前記ヒータの接着温度
及び接着時間を設定する温度制御手段と、を備えたことを特徴とする結束装置。
【発明の効果】
【００１０】
本発明によれば、接着性能に大きく影響のある紙帯の厚さに応じてヒータ温度と加熱時
間が設定されるため、類似した種類の違う紙帯が使用できる。
【発明を実施するための最良の形態】
【００１１】
以下、図面を参照して本発明の実施例を説明する。
【実施例１】
【００１２】
図１は、本発明の実施例１による結束装置のヒートシール部分を示す。図１（１）は正
面図で、図１（２）は、図示矢印Ｂ方向から見た右側面図である。
【００１３】
ヒータブロック（加熱手段）３は、ヒータ部３ａ及びヒータ支持部３ｆからなり、ヒー
タ部３ａの放熱を防止するため、ヒータ部３ａとヒータ支持部３ｆとは一部接触する部分
３ｅ、３ｅを除いて切り離されている。所謂空気絶縁状態に保持される。
【００１４】
ヒータ部３ａは、当該紙帯１に熱を伝えるために金属等の熱伝達材からなり、紙帯１と
接触し熱接着する部分は平坦なコテ部３ａ１を有する。また、その内部には、ヒータ３ｂ
が配置されている。このヒータ３ｂは、給電することによって加熱され、コテ部３ａ１を
加熱する。
【００１５】
図２は本実施例１の施封部における紙帯１の厚さに基づくヒータ３ｂの温度制御に関す
る構成を示すブロック図である。本実施例１のヒータ３ｂの温度制御は、紙帯１の厚さ検
知センサ部４、ヒータ部３ａ、ヒータ制御部６及び操作制御部７などで構成される。
【００１６】
厚さ検知センサ部４は、紙帯１が１００枚紙葉類Ｈを結束するための紙帯１の厚さを検
知する。この厚さを検知する方法は、搬送面４ａとローラ形状を有する厚さ検知センサ４
ｂが均一に接触するように配置されて構成される。この搬送面４ａと厚さ検知センサ４ｂ
の間に紙帯１が挿入された場合に、厚さ検知センサ４ｂのローラ表面の変動がヒータ制御
部６の厚さ検知処理手段６ｃで厚さに変換されて検知される。この厚さ検知方法はよく知
られた方法を用いてできるため、詳細な説明を省略する。
【００１７】
ヒータ部３ａには、ヒータ３ｂ、このヒータ３ｂがオーバーヒートしたときの保護用温
度ヒューズ３ｃ及びヒータ温度を監視するサーミスタ３ｄが内臓されている。
【００１８】
ヒータ制御部６は、ヒータオン・オフ制御部６ａ、温度検知処理部６ｂ、厚さ検知処理
部６ｃ、接着温度パラメータ、加熱時間パラメータ６ｅ及びヒータ部３ａ若しくは操作制
御部７とのインターフェースなどで構成される。
【００１９】
ヒータ制御部６は、ヒータ３ｂの温度を接着温度になるように制御するため、ヒータ３
ｂへの通電をオン・オフ制御するヒータオン・オフ制御部６ａ、ヒータ部３ａ内のサーミ
スタ３ｄの抵抗値に基づいて温度を検出する温度検知処理部６ｂ、接着温度パラメータ６
ｄ１及びヒータによる加熱時間（加熱時間）パラメータ６ｅなどを記憶する記憶部６ｄな
どで構成される。
【００２０】
温度検知処理部６ｂは、サーミスタ３ｄを用いた温度検知方法であり、ブリッジ法など
よく知られた技術で検出可能であり詳細は記述しない。
【００２１】
接着温度パラメータ６ｄ１は、検出された紙帯１の厚さに対応するヒータ３ｂの接着温
度に関するパラメータである。本実施例では、用いられる紙帯１の厚さが７０μｍ〜１３
０μｍであり、紙帯１の厚さ検出制度は２０μｍ程度である。この場合には、下式に示す
３段階の接着温度が設定される。
【００２２】
７０μｍ≦ｔ＜９０μｍ：接着温度Ｔ１
９０μｍ≦ｔ＜１１０μｍ：接着温度Ｔ２
１１０μｍ≦ｔ＜１３０μｍ：接着温度Ｔ３
ｔ：紙帯１の厚さ（μｍ）
加熱時間パラメータは、検出された紙帯１の厚さに対応する加熱時間に関するパラメー
タである。この場合は下式に示す３段階の加熱時間が設定される。
【００２３】
７０μｍ≦ｔ＜９０μｍ：加熱時間Ｓ１
９０μｍ≦ｔ＜１１０μｍ：加熱時間Ｓ２
１１０μｍ≦ｔ＜１３０μｍ：加熱時間Ｓ３
上記接着温度Ｔ１〜Ｔ３、及び加熱時間Ｓ１〜Ｓ３を単位として、紙帯メーカごとに設
定することも可能である。すなわち、紙帯１のメーカが異なると、紙質又は接着糊の性質
が異なり、上記紙帯１の厚さが同じであっても接着温度又は加熱時間が異なる。その場合
は、上記接着温度Ｔ１〜Ｔ３、及び加熱時間Ｓ１〜Ｓ３を単位として複数準備される。
【００２４】
操作制御部７は、装置を駆動するための制御機能を備えたＣＰＵを有し、さらにこのＣ
ＰＵによって装置の起動・停止、又は装置を稼動するための初期設定を行うための操作表
示部（図示しない）を有する。
【００２５】
操作員は、操作制御部７からメーカやその種類などの属性情報を初期設定として設定す
ると、この設定された属性情報はヒータオン・オフ制御部６ａに送信される。
【００２６】
以上の構成に基づく紙帯交換時のヒータ制御部６の動作説明を行う。  
初めに、紙帯１を交換する際、操作員は操作制御部７の操作表示部から指示し、装置の
処理を停止（フィードオフ）し、施封部へのアクセスを可能にする。
【００２７】
次に、操作員は、交換する紙帯１のメーカ、種類などの属性情報を操作表示部から入力
する。
【００２８】
入力された紙帯１の属性情報は、ヒータオン・オフ制御部６ａに送信される。交換され
た紙帯１が結束可能な初期状態になるまで取出される。この取出しの際に、紙帯１の厚さ
が厚さ検知センサ部４によって検知される。この厚さ検知センサ部４の出力信号は、ヒー
タ制御部６の厚さ検知処理部６ｃで処理され、紙帯１の厚さが検知される。このようにし
て検知された厚さ情報は、ヒータオン・オフ制御部６ａに送信される。
【００２９】
上述した紙帯１の属性情報及び厚さ情報はヒータオン・オフ制御部６ａで演算され、最
適な紙帯接着温度が接着温度パラメータ６ｄ１から選択され、また、紙帯加熱時間が紙帯
加熱時間パラメータ６ｄ２から選択される。
【００３０】
このようにして選択された接着温度及び加熱時間に基づいて、１００枚紙葉類Ｈの結束
時にヒータブロック３が制御される。
【００３１】
すなわち、ヒータ３ｂが加熱され、その過熱された温度がサーミスタ３ｄでよって検知
される。このサーミスタ３ｄよって検知された温度が接着温度に達すると温度が一定値を
保つようにヒータオン・オフ制御部６ａによってヒータ３ｂに対する通電がオン・オフ制
御される。
【００３２】
また、１００枚紙葉類Ｈの結束時には、設定された過熱時間の間ヒータブロック３のヒ
ータ部３ａが紙帯１の接着面を過熱する。
【００３３】
上述した実施例では、操作員が操作制御部７から交換する紙帯１のメーカ、種類などの
属性情報を入力する場合を示したが、必ずしもこれに限るものではなく、使用する紙帯の
メーカが異なって紙帯の品質が類似している場合、又は同一メーカの紙帯であって、厚さ
が異なることがわかっている場合には、上記紙帯の厚さ検知の情報のみによって上記接着
温度を接着温度パラメータ６ｄ１から選択し、また、加熱時間を加熱時間パラメータ６ｄ
２から選択した値を用いてヒータのオン・オフ制御を行うことができる。
【００３４】
以上説明したように、本発明によれば、紙帯の種類又は紙帯の厚さに応じてヒータ温度
と加熱時間が設定できるため、類似した種類の違う紙帯の使用が可能になる。
【図面の簡単な説明】
【００３５】
【図１】本発明の実施例１による結束装置のヒートシール部分を示す図。
【図２】紙帯の厚さに基づくヒータの温度制御を示すブロック図。
【符号の説明】
【００３６】
Ｈ  １００枚紙葉類
１  紙帯
３  ヒータブロック
３ａ  ヒータ部
３ａ１  コテ部
３ｂ  ヒータ
３ｄ  サーミスタ
３ｆ  ヒータ支持部
４  厚さ検知センサ部
４ｂ  センサ面
６  ヒータ制御部
６ａ  ヒータオン・オフ制御部
６ｄ  接着温度パラメータ
６ｅ  加熱時間パラメータ
７  操作制御部
【図１】
2008168920.tif 000003
【図２】
2008168920.tif 000004